(57)【要約】【課題】円筒形のセラミックス焼結体からなるターゲット材とバッキングチューブとのクリアランスの幅を均等に維持しつつ、上記クリアランスに充填される接合材の接合率を向上させることができる円筒形スパッタリングターゲットの製造方法を提供する。【解決手段】円筒形セラミックス焼結体からなるターゲット材と円筒状のバッキングチューブとのクリアランスに溶融した接合材が充填される円筒形スパッタリングターゲットの製造方法であって、ターゲット材の上端面に円筒状のダミーパイプを連結し、ターゲット材中空部に、バッキングチューブを同軸に設置して、ダミーパイプとバッキングチューブとのクリアランスに複数の固定具を円周方向に等間隔に取り付ける配置工程Ｓ１と、ターゲット材とバッキングチューブとのクリアランスに接合材を充填する充填工程Ｓ３と、接合材を冷却し、ターゲット材とバッキングチューブとを接合する接合工程Ｓ４とを有する。【選択図】図２
2019019375.tif 000002
【特許請求の範囲】
【請求項１】
円筒形セラミックス焼結体からなるターゲット材と円筒状のバッキングチューブとのクリアランスに溶融した接合材が充填される円筒形スパッタリングターゲットの製造方法であって、
前記ターゲット材の上端面に円筒状のダミーパイプを連結し、前記ターゲット材の中空部に前記バッキングチューブを同軸に設置して、前記ダミーパイプと前記バッキングチューブとのクリアランスに複数の固定具を円周方向に等間隔に取り付ける配置工程と、
前記ターゲット材と前記バッキングチューブとのクリアランスに前記接合材を充填する充填工程と、
前記接合材を冷却し、前記ターゲット材と前記バッキングチューブとを接合する接合工程とを有することを特徴とする円筒形スパッタリングターゲットの製造方法。
【請求項２】
前記固定具の長さは、前記ダミーパイプの長さよりも短いことを特徴とする請求項１記載の円筒形スパッタリングターゲットの製造方法。
【請求項３】
前記充填工程では、前記ダミーパイプと前記バッキングチューブとのクリアランスに前記ダミーパイプの所定の高さ位置まで前記接合材をさらに充填することを特徴とする請求項２記載の円筒形スパッタリングターゲットの製造方法。
【請求項４】
前記配置工程後に、前記ターゲット材を固定する押さえ工程がさらに設けられ、
前記押さえ工程では、前記ダミーパイプの上端面を押さえ機構で押圧することにより、前記ダミーパイプを介して前記ターゲット材を固定することを特徴とする請求項１ないし請求項３のいずれか１項記載の円筒形スパッタリングターゲットの製造方法。
【請求項５】
前記配置工程では、前記ダミーパイプと前記バッキングチューブとのクリアランスに、前記固定具を４ヶ所、円周方向に等間隔に取り付けることを特徴とする請求項１ないし請求項４のいずれか１項記載の円筒形スパッタリングターゲットの製造方法。
【請求項６】
前記配置工程では、前記ターゲット材の上端面に前記ダミーパイプを連結した後、前記ターゲット材の中空部に前記バッキングチューブを同軸に設置して、前記ダミーパイプと前記バッキングチューブとのクリアランスに複数の固定具を円周方向に等間隔に取り付けることを特徴とする請求項１ないし請求項５のいずれか１項記載の円筒形スパッタリングターゲットの製造方法。
【請求項７】
前記配置工程では、前記ターゲット材の中空部に前記バッキングチューブを同軸に設置した後、前記ターゲット材の上端面に前記ダミーパイプを連結して、前記ダミーパイプと前記バッキングチューブとのクリアランスに複数の固定具を円周方向に等間隔に取り付けることを特徴とする請求項１ないし請求項５のいずれか１項記載の円筒形スパッタリングターゲットの製造方法。
【発明の詳細な説明】
【技術分野】
【０００１】
本発明は、マグネトロン型回転カソードスパッタリング装置によるスパッタリングに使用される、円筒形スパッタリングターゲットの製造方法に関する。
【背景技術】
【０００２】
従来から、スパッタリングターゲットとしては、平板状のターゲット材をバッキングプレートに接合した平板形スパッタリングターゲットが一般的に利用されている。平板形スパッタリングターゲットを使用して、マグネトロンスパッタリング法によりスパッタリングを行った場合におけるターゲット材の使用効率は、２０％〜３０％に留まっている。その理由は、マグネトロンスパッタリング法では磁場によってプラズマをターゲット材の特定箇所に集中して衝突させるため、ターゲット材の表面の特定箇所にエロージョン（ｅｒｏｓｉｏｎ）が進行する現象が起こり、ターゲット材の最深部がバッキングプレートまで達したところで、ターゲット材の寿命となってしまうためである。
【０００３】
この問題に対して、スパッタリングターゲットの形状を円筒形にすることで、ターゲット材の使用効率を上げることが提案されている。この方法は、円筒形のバッキングチューブと、その外周部に形成された円筒形のターゲット材とからなる円筒形スパッタリングターゲットを用い、バッキングチューブの内側に磁場発生設備と冷却設備を設置して、円筒形スパッタリングターゲットを回転させながらスパッタリングを行うものである。この方法により、ターゲット材の使用効率を６０％〜７０％にまで高めることができるとされている。
【０００４】
円筒形スパッタリングターゲットにおけるターゲット材の材料としては、円筒形状への加工が容易で機械的強度の高い金属材料が広く使用されているものの、セラミックス材料については、機械的強度が低く脆いという特性から、未だ普及するに至っていない。
【０００５】
現在、セラミックス製の円筒形スパッタリングターゲットの製造方法は、冷間静水圧プレス（CIP：Cold Isostatic Pressing）により円筒形セラミックス成形体を成形し、これを焼結することにより円筒形セラミックス焼結体を得ている。そして、この製造方法では、円筒形セラミックス焼結体をバッキングチューブと接合材を用いてボンディング（接合）することにより、円筒形スパッタリングターゲットを形成することが一般的になっている。
【０００６】
円筒形スパッタリングターゲットの製造方法において、通常、オーステナイト系ステンレス鋼、チタン等の金属製のバッキングチューブが使用される。円筒形ターゲット材とバッキングチューブとのクリアランスは、通常１．５ｍｍ以下であり、このクリアランスを均等に保ち、接合材を隙間なく充填することが重要である。
【０００７】
例えば、特許文献１では、円筒形ターゲット材を垂直に積み上げ、バッキングチューブとの間に生じたクリアランスに複数のスペーサーを設けることでクリアランスを均等に保ち、接合材を流し込む方法が開示されている。また、特許文献２では、融液状態の接合材の貯留槽の上に円筒形ターゲット材を固定し、ターゲット材の両端にかかるようにバッキングチューブにスペーサーを取り付け、さらにバッキングチューブの一端にダミー栓をして、このバッキングチューブを接合材の貯留槽に下降させてクリアランスに接合材を充填する方法が開示されている。
【先行技術文献】
【特許文献】
【０００８】
【特許文献１】特開２０１１−２５２２３７号公報
【特許文献２】特開２０１４−０３７６１９号公報
【発明の概要】
【発明が解決しようとする課題】
【０００９】
しかしながら、特許文献１や特許文献２の製造方法では、溶融した接合材の冷却による体積収縮によって、ターゲット材とバッキングチューブとのクリアランスに未充填部が生じるため、このクリアランスに充填される接合材の接合率が低いものとなる。これらの製造方法で作製された円筒形スパッタリングターゲットでは、クリアランスに充填される接合材の接合率が低下してしまうので、接合層による熱伝導率が低いものとなる。その結果、バッキングチューブ内部の通水による冷却効果が低下するため、マグネトロンスパッタリング法のような高パワーを投入することができないおそれがある。
【００１０】
また、ターゲット材とバッキングチューブとのクリアランスには、接合材とともに、クリアランスを維持するためのスペーサーが複数配置されたままである。スペーサーは、クリアランスの狭い曲面に設置するため、形状にもよるが、接合材を充填した時、スペーサー角部や曲面との接触部分等には空隙が発生しやすい。接合層にこの空隙が残ったターゲットを使用しスパッタリングを行った場合、スパッタリング時の熱負荷によって、ターゲット材に割れや剥離等の不具合が生じることがある。また、このスペーサーは、一般的に、熱膨張係数が高い銅材やステンレス材が用いられ、接合材は、インジウム合金が用いられる。このため、接合材のみの箇所とスペーサーのある箇所のクリアランスでは、熱膨張係数に差があり、ターゲットの割れや欠けの原因となる。さらに、スペーサーのある箇所は、バッキングチューブと接触しており接合材で接合されないため高温になった場合、ターゲット材とバッキングチューブとの剥離が起こりやすい。
【００１１】
このように、低コストかつ簡素な方法により、ターゲット材とバッキングチューブとのクリアランスに接合材のみが充填され、上記クリアランスに充填される接合材の接合率を向上させることが望まれる。
【００１２】
そこで、本発明は、上記従来技術の問題点に鑑みて考案されたものであり、円筒形のセラミックス焼結体からなるターゲット材とバッキングチューブとのクリアランスの幅を均等に維持しつつ、上記クリアランスに充填される接合材の接合率を向上させることが可能な、新規かつ改良された円筒形スパッタリングターゲットの製造方法を提供することを目的とする。
【課題を解決するための手段】
【００１３】
即ち、上記目的を達成するための本発明の一態様では、円筒形セラミックス焼結体からなるターゲット材と円筒状のバッキングチューブとのクリアランスに溶融した接合材が充填される円筒形スパッタリングターゲットの製造方法であって、前記ターゲット材の上端面に円筒状のダミーパイプを連結し、前記ターゲット材の中空部に前記バッキングチューブを同軸に設置して、前記ダミーパイプと前記バッキングチューブとのクリアランスに複数の固定具を円周方向に等間隔に取り付ける配置工程と、前記ターゲット材と前記バッキングチューブとのクリアランスに前記接合材を充填する充填工程と、前記接合材を冷却し、前記ターゲット材と前記バッキングチューブとを接合する接合工程とを有することを特徴とする。
【００１４】
また、本発明の一態様では、前記固定具の長さは、前記ダミーパイプの長さよりも短いことが好ましい。
【００１５】
また、本発明の一態様では、前記充填工程において、前記ダミーパイプと前記バッキングチューブとのクリアランスに前記ダミーパイプの所定の高さ位置まで前記接合材をさらに充填することが好ましい。
【００１６】
また、本発明の一態様では、前記配置工程後に、前記ターゲット材を固定する押さえ工程がさらに設けられ、前記押さえ工程では、前記ダミーパイプの上端面を押さえ機構で押圧することにより、前記ダミーパイプを介して前記ターゲット材を固定することが好ましい。
【００１７】
また、本発明の一態様では、前記配置工程において、前記ダミーパイプと前記バッキングチューブとのクリアランスに、前記固定具を４ヶ所、円周方向に等間隔に取り付けることが好ましい。
【００１８】
また、本発明の一態様では、前記配置工程において、前記ターゲット材の上端面に前記ダミーパイプを連結した後、前記ターゲット材の中空部に前記バッキングチューブを同軸に設置して、前記ダミーパイプと前記バッキングチューブとのクリアランスに複数の固定具を円周方向に等間隔に取り付けることが好ましく、あるいは、前記ターゲット材の中空部に前記バッキングチューブを同軸に設置した後、前記ターゲット材の上端面に前記ダミーパイプを連結して、前記ダミーパイプと前記バッキングチューブとのクリアランスに複数の固定具を円周方向に等間隔に取り付けることが好ましい。
【発明の効果】
【００１９】
本発明によれば、円筒形のセラミックス焼結体からなるターゲット材とバッキングチューブとのクリアランスの幅を均等に維持しつつ、上記クリアランスに充填される接合材の接合率を向上させることができる。
【図面の簡単な説明】
【００２０】
【図１】本発明の一実施形態に係る円筒形スパッタリングターゲットの製造方法で製造される円筒形スパッタリングターゲットの概略断面図である。
【図２】本発明の一実施形態に係る円筒形スパッタリングターゲットの製造方法の概略を示すフロー図である。
【図３】（Ａ）ないし（Ｆ）は、本発明の一実施形態に係る円筒形スパッタリングターゲットの製造方法の概略を模式的に示す断面図である。
【図４】本発明の一実施形態に係る円筒形スパッタリングターゲットの製造方法に含まれる押さえ工程を示す断面図である。
【図５】本発明の一実施形態に係る円筒形スパッタリングターゲットの製造方法で使用される第１の押さえ機構を示す概略平面図である。
【発明を実施するための形態】
【００２１】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２２】
［１．円筒形スパッタリングターゲットの概要］
まず、本発明の一実施形態に係る円筒形スパッタリングターゲットの製造方法で製造される円筒形スパッタリングターゲットの構成について、図面を使用しながら説明する。図１は、本発明の一実施形態に係る円筒形スパッタリングターゲットの製造方法で製造される円筒形スパッタリングターゲットの概略断面図である。
【００２３】
図１に示すように、円筒形スパッタリングターゲット１は、円筒形のターゲット材１０が円筒形のバッキングチューブ２０の外周面に設置されたものであり、ターゲット材１０とバッキングチューブ２０とが接合層３０を介して接合されている。本実施形態では、円筒形スパッタリングターゲット１は、ターゲット材１０の内周面側に有する中空部にバッキングチューブ２０を同軸に配置して、これらターゲット材１０とバッキングチューブ２０の中心軸が一致した状態で接合層を介して接合されたものとなっている。すなわち、円筒形スパッタリングターゲット１は、ターゲット材１０の内周面とバッキングチューブ２０の外周面とを接合層３０を介して一体となるように接合されたものとなっている。
【００２４】
円筒形スパッタリングターゲット１のサイズは、材質や顧客の要望等に応じて適宜調整することができ、特に限定されるものではない。例えば、外径が１００ｍｍ〜２００ｍｍ、内径が８０ｍｍ〜１８０ｍｍ、全長が５０ｍｍ〜２００ｍｍの円筒形セラミックス焼結体をターゲット材１０として用いた場合には、そのターゲット材１０を単独で用いるとき、分割して用いるとき、あるいは複数で用いるとき等があり、その状況により円筒形スパッタリングターゲット１のサイズが適宜決定される。
【００２５】
ターゲット材１０は、円筒形セラミックス焼結体からなり、当該円筒形セラミックス焼結体は、用途に応じて材料を適宜選択することができ、特に限定されることはない。例えば、インジウム（Ｉｎ）、スズ（Ｓｎ）、亜鉛（Ｚｎ）、アルミニウム（Ａｌ）、ニオブ（Ｎｂ）、タンタル（Ｔａ）、及びチタン（Ｔｉ）から選択される少なくとも１種を主成分とする酸化物等から構成される円筒形セラミックス焼結体を使用することができる。
【００２６】
特に、後述する低融点接合材と馴染みやすい酸化インジウムを主成分とする円筒形セラミックス焼結体、具体的には、スズを含有する酸化インジウム（ＩＴＯ）、セリウム（Ｃｅ）を含有する酸化インジウム（ＩＣＯ）、ガリウム（Ｇａ）を含有する酸化インジウム（ＩＧＯ）、ガリウム及び亜鉛を含有する酸化インジウム（ＩＧＺＯ）等から構成される円筒形セラミックス焼結体がターゲット材１０として好適に利用される。
【００２７】
ターゲット材１０の外径及び全長は、円筒形スパッタリングターゲットのサイズに応じて適宜調整することが可能である。ターゲット材１０の内径は、ターゲット材１０の内周面とバッキングチューブ２０の外周面との間のクリアランスの幅及びバッキングチューブの外径に応じて適宜調整することが可能であり、これらは、特に限定されるものではない。また、ターゲット材１０としては、１つの円筒形セラミックス焼結体から構成されるものだけでなく、複数の円筒形セラミックス焼結体を連結したものを使用することができる。円筒形セラミックス焼結体同士の連結方法は、特に限定されるものではなく、公知の方法を用いることができる。
【００２８】
ターゲット材１０の内周面に対して、めっき処理などによりニッケルや銅からなる下地層を形成したり、超音波はんだごてを用いて、接合材を接合面になじませる濡らし作業を行ったりといった前処理を行なってもよい。
【００２９】
バッキングチューブ２０は、その材質が円筒形スパッタリングターゲット１の使用時に、接合層３０が劣化及び溶融しない十分な冷却効率を確保できる熱伝導性があり、スパッタリング時に、放電可能な電気伝導性、円筒形スパッタリングターゲット１の支持が可能な強度等を備えているものであればよい。バッキングチューブ２０として、例えば、一般的なオーステナイト系ステンレス製、特にＳＵＳ３０４製のものに加えて、銅又は銅合金、チタン又はチタン合金、モリブデン又はモリブデン合金、アルミニウム又はアルミニウム合金等の各種材質を使用することができる。
【００３０】
また、バッキングチューブ２０は、公知の表面処理を施すことができる。例えば、旋盤加工等で得られたバッキングチューブ２０の表面をブラスト加工により、クリーニングすることが好ましい。このようにブラスト加工を行うことによって、旋盤加工で付着した異物、油分をクリーニングすると共に、比表面積増加による接合材の濡れ性が向上できる。
【００３１】
バッキングチューブ２０の全長は、円筒形スパッタリングターゲット１のサイズに応じて適宜調整することが可能である。内径は、スパッタリング装置に応じて適宜調整することが可能であり、これらは特に限定されるものではない。また、バッキングチューブ２０の外径は、下地層の厚さと共に、ターゲット材１０とバッキングチューブ２０との線膨張率の差を考慮して設定することが好ましい。
【００３２】
例えば、ターゲット材１０として、２０℃における線膨張率が７．２×１０−６／℃のＩＴＯを使用し、バッキングチューブとして、２０℃における線膨張率が１７．３×１０−６／℃であるＳＵＳ３０４を使用する場合には、ターゲット材１０とバッキングチューブ２０とのクリアランスの幅が、好ましくは０．３ｍｍ〜３．０ｍｍ、より好ましくは０．５ｍｍ〜１．０ｍｍとなるように、バッキングチューブ２０の外径を設定する。
【００３３】
ターゲット材１０とバッキングチューブ２０とのクリアランスの幅が０．３ｍｍ未満では、溶融した接合材をこの隙間に注入した場合に、バッキングチューブ２０が熱膨張し、ターゲット材１０が割れてしまう虞がある。一方、隙間の幅が３．０ｍｍを超えると、ターゲット材１０の中空部に、バッキングチューブ２０を同軸に配置し、これらの中心軸が一致した状態で接合することが困難となる。
【００３４】
接合層３０は、例えば、インジウムからなり、ターゲット材１０とバッキングチューブ２０とを接合する。接合層３０の役割は、放電により円筒形スパッタリングターゲット１上に発生した熱をバッキングチューブ２０の内側を流れる冷却液で放熱するため、ターゲット材１０とバッキングチューブ２０との熱的な伝達を行うことにある。すなわち、接合層３０は、円筒形スパッタリングターゲット１を使用する際に、バッキングチューブ２０と同様にして、熱伝導性、電気伝導性、接着強度等を備えていればよい。
【００３５】
［２．円筒形スパッタリングターゲットの製造方法］
次に、本発明の一実施形態に係る円筒形スパッタリングターゲットの製造方法について、図面を使用しながら説明する。図２は、本発明の一実施形態に係る円筒形スパッタリングターゲットの製造方法の概略を示すフロー図である。図３（Ａ）ないし（Ｆ）は、本発明の一実施形態に係る円筒形スパッタリングターゲットの製造方法の概略を模式的に示す断面図である。本実施形態に係る円筒形スパッタリングターゲットの製造方法は、円筒形セラミックス焼結体からなるターゲット材と円筒状のバッキングチューブとのクリアランスに接合材が充填される。そして、本実施形態は、図２に示すように、配置工程Ｓ１と押さえ工程Ｓ２と充填工程Ｓ３と接合工程Ｓ４とを有する。以下、各工程Ｓ１〜Ｓ４について図面を使用しながら説明する。
【００３６】
配置工程Ｓ１は、ターゲット材の上端面に円筒状のダミーパイプを連結し、このターゲット材の中空部にバッキングチューブを同軸に配置して、ダミーパイプとバッキングチューブとのクリアランスに複数の固定具を円周方向に等間隔に取り付ける工程である。
【００３７】
まず、図３（Ａ）に示すように、円筒形セラミックス焼結体からなるターゲット材１０の上端面１１にダミーパイプ４０を連結する。
【００３８】
ダミーパイプ４０は、ターゲット材１０およびバッキングチューブ２０のクリアランスに接合材を充填する際に、ターゲット材１０とバッキングチューブ２０とのクリアランスの上方の開口端まで接合層３０で形成されるよう、ターゲット材１０の上端面１１よりも高い位置に接合材３１が充填されても、接合材３１が系外に漏れないよう堰止めする機能を有する。
【００３９】
このダミーパイプ４０は、ターゲット材１０の上端面１１に連結される。後工程の充填工程Ｓ３では、ダミーパイプ４０を連結したことにより、ターゲット材１０及びバッキングチューブ２０を接合材３１で充填した際に、ターゲット材１０の上端面１１よりも高い位置にあるダミーパイプ４０の所定の高さまで接合材３１を充填することが可能となる。その結果、接合層３０を形成する冷却時に、接合材３１が体積収縮しても、接合層３０の上端面の位置は、ターゲット材１０の上端面１１と同じ高さとなる。すなわち、ターゲット材１０とバッキングチューブ２０とのクリアランスには、ターゲット材１０の上端面１１付近が未充填とならずに、接合材３１を充填することができる。
【００４０】
ダミーパイプ４０は、Ｃｕ材やＳＵＳ材で作製し、前述した前処理等を行わない。これにより、接合工程Ｓ４において接合層３０を形成した後、ダミーパイプ４０に接着した接合材は、容易に剥離させることができる。このダミーパイプ４０の外径及び内径は、ターゲット材１０と略同一に設定する。形状を略同一にすることで、ターゲット材と同等に扱うことができる。ダミーパイプ４０の長さは、特に限定されないが、ダミーパイプとバッキングチューブのクリアランスに少なくとも固定具６０（図３（Ｃ）参照）を配置するにあたり、この固定具６０の長さより長くする。ダミーパイプ４０の長さが固定具６０の長さより短い場合、このような固定具６０は、ターゲット材１０とバッキングチューブ２０とのクリアランス内に残ってしまう。固定具６０の長さをダミーパイプ４０の長さより短くすることで、円筒形スパッタリングターゲット１の接合層３０を接合材３１のみで充填することができる。詳細は後述する。
【００４１】
ターゲット材１０およびダミーパイプ４０は、各々の外周または内周を基準に中心軸が同一になるように配置する。中心軸を合わせる方法としては、特に限定されない。例えば、ターゲット材１０およびダミーパイプ４０とほぼ同径の基準パイプを用いて、ターゲット材１０およびダミーパイプ４０の内側に配置して中心軸を合わせてもよい。また、バッキングチューブ２０を活用し、バッキングチューブ２０とターゲット材１０及びダミーパイプ４０とのクリアランスに円周方向に均等に複数のスペーサーを入れて中心軸を合わせてもよい。このように、ターゲット材１０およびダミーパイプ４０との中心軸を一致させた状態で、ターゲット材１０およびダミーパイプ４０を連結する。なお、ターゲット材１０およびダミーパイプ４０を連結した後、中心軸を合わせるために使用した基準パイプやスペーサーを取り外す。
【００４２】
ターゲット材１０およびダミーパイプ４０の連結手段は、特に限定されない。例えば、ターゲット材１０とダミーパイプ４０とのつなぎ目周辺の外周を、耐熱テープ等を巻くことで連結する。また、ターゲット材１０を複数用いる場合には、ターゲット材１０およびダミーパイプ４０との連結方法と同様に、ターゲット材１０同士のつなぎ目周辺の外周を、耐熱テープ等を巻くことで連結してもよい。
【００４３】
次いで、図３（Ｂ）および（Ｃ）に示すように、バッキングチューブ２０を、ダミーパイプ４０と連結されたターゲット材１０の中空部に同軸に設置する。すなわち、ターゲット材１０およびバッキングチューブ２０の中心軸が一致した状態で配置し、両者を接合することが重要となる。両者の中心軸がずれた状態でターゲット材１０とバッキングチューブ２０とを接合材３１を介して接合すると、得られる円筒形スパッタリングターゲットの外径の中心と内径の中心が必然的にずれる。その結果、スパッタリング時の熱負荷により、円筒形スパッタリングターゲットが不均一に膨張し、ターゲット材に割れや剥離が生じるおそれがある。
【００４４】
まず、バッキングチューブ２０を、ダミーパイプ４０と連結されたターゲット材１０の中空部に同軸に配置する。この位置に配置する方法としては、特に制限されることなく、公知の手段を用いることができる。例えば、Ｘ−Ｙステージと固定具を用いて位置決めをすることにより、バッキングチューブ２０を、ターゲット材１０の中空部に同軸に配置することができる。詳細には、バッキングチューブ２０は、Ｘ−Ｙステージによる位置決め可能な架台５０に一方の端を、上記架台５０の上面に形成された凹部５１に固定して設置する。なお、この時、後述する第２の押さえ機構７０（図４参照）でバッキングチューブ２０の上端面２１を押圧してもよい。押圧することにより、このバッキングチューブ２０がさらに固定される。バッキングチューブ２０は、凹部５１に固定する他に、接着剤等を塗布した接着面に固定してもよい。
【００４５】
このバッキングチューブ２０には、軸方向の端部を耐熱Ｏリング５２によって封止し、その後、バッキングチューブ２０にターゲット材１０の中空部に配置するとともに、この封止側が下方となるように、ターゲット材１０とバッキングチューブ２０を直立させて配置する。
【００４６】
また、図３（Ｂ）のような配置状態とするため、上述した手順と異なり、ターゲット材１０の中空部にバッキングチューブ２０を同軸に設置した後、ターゲット材１０の上端面１１にダミーパイプ４０を連結してもよい。
【００４７】
詳細には、Ｘ−Ｙステージを用いて位置決めをすることにより、バッキングチューブ２０を、ターゲット材１０の中空部に同軸に配置する。バッキングチューブ２０は、Ｘ−Ｙステージによる位置決め可能な架台５０に一方の端を、上記架台５０の上面に形成された凹部５１に固定して設置する。このバッキングチューブ２０には、軸方向の端部を耐熱Ｏリング５２によって封止し、その後、バッキングチューブ２０にターゲット材１０の中空部に同軸に配置するとともに、この封止側が下方となるように、ターゲット材１０とバッキングチューブ２０を直立させて配置する。
【００４８】
そして、ターゲット材１０の上端面１１には、ダミーパイプ４０を連結させる。ここで、ターゲット材１０およびダミーパイプ４０の中心軸を一致させるために、ターゲット材１０およびダミーパイプ４０とバッキングチューブ２０とのクリアランスに、ターゲット材１０およびダミーパイプ４０の長さを超えるスペーサーを円周方向に等間隔に配置し、ターゲット材１０およびダミーパイプ４０とバッキングチューブ２０とが同軸になるように位置合わせを行う。その後、ターゲット材１０とダミーパイプ４０との外周面のつなぎ目を耐熱テープで巻き同一の位置に固定すればよい。なお、ターゲット材１０およびダミーパイプ４０を連結した後、中心軸を合わせるために使用したスペーサーを取り外す。
【００４９】
次いで、図３（Ｃ）に示すように、ターゲット材１０の下方側はＸ−Ｙステージによる位置決めをし、ダミーパイプ４０側は、ダミーパイプ４０とバッキングチューブ２０とのクリアランスに固定具６０を取り付ける。これにより、ターゲット材１０とバッキングチューブ２０を同軸に配置することができる。また、固定具６０を取り付けているため、ターゲット材１０とバッキングチューブ２０とのクリアランスの幅は、一定に維持されることができる。
【００５０】
詳細には、複数の固定具６０が、ダミーパイプ４０とバッキングチューブ２０の上端部側のクリアランスに、円周方向に等間隔に取り付けられる。これにより、後述する充填工程Ｓ３および接合工程Ｓ４では、ターゲット材１０とバッキングチューブ２０とのクリアランスの幅を均等に維持しつつ、ターゲット材１０とバッキングチューブ２０とのクリアランスに充填する接合材の接合率を向上させることができる。また、固定具６０は、少なくとも３ヶ所以上、円周方向に等間隔に取り付けられることが好ましい。さらに、固定具６０は、等間隔に取り付けることの容易性や接合材３１を充填するスペースの確保などの作業効率上の観点から、４ヶ所円周方向に等間隔に取り付けられることがより好ましい。
【００５１】
また、固定具６０は、ターゲット材１０の上端部付近に固定具６０を配置するだけではなく、ダミーパイプ４０の長さよりも短いものを使用するのが好ましい。これにより、固定具６０は、ダミーパイプ４０とバッキングチューブ２０とのクリアランスに留まり、ターゲット材１０とバッキングチューブ２０のクリアランスには、固定具６０はなく接合材３１のみを充填することができる。その結果、作製された円筒形スパッタリングターゲット１の接合率をさらに高めることができる。
【００５２】
固定具６０としては、例えば、クリアランスの厚さと同等またはクリアランスより若干薄い厚さのスペーサーやくさびやシックネスゲージを用いることができる。固定具６０の材料は、特に限定されないが、例えば、テフロン（登録商標）、ＳＵＳ材、Ｃｕ材等が挙げられる。
【００５３】
次に、押さえ工程Ｓ２について図面を使用して説明する。図４は、本発明の一実施形態に係る円筒形スパッタリングターゲットの製造方法に含まれる押さえ工程を示す断面図である。図５は、本発明の一実施形態に係る円筒形スパッタリングターゲットの製造方法で使用される第１の押さえ機構を示す概略平面図である。押さえ工程Ｓ２は、ダミーパイプ４０の上端面４１を第１の押さえ機構７０で押圧することにより、ダミーパイプ４０を介してターゲット材１０を固定し、かつバッキングチューブ２０の上端面２１を第２の押さえ機構８０で押圧することにより、バッキングチューブ２０を固定する工程である。本実施形態では、配置工程Ｓ１後に、この押さえ工程Ｓ２をさらに設けてもよい。
【００５４】
第１の押さえ機構７０および第２の押さえ機構８０は、後述する充填工程Ｓ３および接合工程Ｓ４においてターゲット材１０とバッキングチューブとのクリアランスの幅を均等に維持するため、ターゲット材１０およびバッキングチューブ２０を固定する機能を有する。図４に示すように、前工程である配置工程Ｓ１でバッキングチューブ２０を、ターゲット材１０の中空部に同軸に、即ち、これらの中心軸が一致した状態で配置するため、第１の押さえ機構７０によりダミーパイプ４０を介してターゲット材１０を固定し、かつ第２の押さえ機構８０によりバッキングチューブ２０を固定する。架台５０の一端部には、支柱５３が鉛直方向に設置され、この支柱５３には、第１の押さえ機構７０と第２の押さえ機構８０とをそれぞれ取り付ける。
【００５５】
第１の押さえ機構７０は、支柱５３から水平方向に延在される第１のアーム部７１とその第１のアーム部７１の先端部の下方側に第１の押さえ部７２が設けられる。また、第２の押さえ機構８０は、支柱５３から水平方向に延在される第２のアーム部８１とその第２のアーム部８１の先端部の下方側に第２の押さえ部８２が設けられる。第１および第２の押さえ機構７０，８０は、支柱５３よりネジやばね等でターゲット材１０およびバッキングチューブ２０を鉛直下方に押圧することによりターゲット材１０およびバッキングチューブ２０を固定する。なお、バッキングチューブ２０が、架台５０に十分に固定されている場合は、ダミーパイプ４０を介してターゲット材１０のみを第１の押さえ機構７０で固定してもよい。つまり、押さえ工程Ｓ２では、ターゲット材１０およびバッキングチューブ２０のうち、少なくともダミーパイプ４０の上端面４１を第１の押さえ機構７０で押圧することにより、ダミーパイプ４０を介してターゲット材１０が固定されていればよい。
【００５６】
また、第１の押さえ部７２は、次工程である充填工程Ｓ３で接合材３１をターゲット材１０とバッキングチューブ２０とのクリアランスに供給するため、接合材３１の供給に干渉せずに、効率的に鉛直方向にダミーパイプ４０を介してターゲット材１０を固定することができるよう、ダミーパイプ４０の上端面４１のうち所定の領域に接するものであればよく、図５に示すように、例えばハーフリング状に形成されたものがよい。
【００５７】
次に、充填工程Ｓ３は、ターゲット材１０とバッキングチューブ２０とのクリアランスに接合材３１を充填する工程である。すなわち、図３（Ｄ）に示すように、ターゲット材１０とバッキングチューブ２０を直立させたまま、ダミーパイプ４０とバッキングチューブ２０とのクリアランスに固定具６０を取り付けたことで、ターゲット材１０とバッキングチューブ２０との一定のクリアランスを維持し、ターゲット材１０とバッキングチューブ２０とのクリアランスに接合材３１のみを充填する。
【００５８】
従来、ターゲット材とバッキングチューブとのクリアランスには、接合材の充填とともに、クリアランスを維持するためのスペーサーが複数配置されたままであった。スペーサーは、クリアランスの狭い曲面に配置するため、形状にもよるが、接合材を充填した時、スペーサー角部や曲面との接触部分等に空隙が発生しやすいものとなる。この空隙が存在する接合層を形成したスパッタリングターゲットを使用してスパッタリングを行った場合、スパッタリング時の熱負荷によって、ターゲット材に割れや剥離等の不具合が生じることがある。また、このスペーサーは、一般的に熱膨張係数が高い銅材やステンレス材が用いられる一方、接合材はインジウム合金が用いられる。このため、接合材のみの箇所とスペーサーのある箇所のクリアランスでは、熱膨張係数に差があり、ターゲット材の割れや欠けの原因となる。また、スペーサーのある箇所は、バッキングチューブと接触し、接合材で接合されないため、高温になった場合、ターゲット材とのバッキングチューブとの剥離が起こりやすい。そこで、本実施形態では、上記接合層３０に固定具６０を残さないよう、上記クリアランスに接合材３１のみを充填することで、上述した不具合を防止することができる。
【００５９】
充填工程Ｓ３では、配置工程Ｓ１において接合層３０を形成するため、ターゲット材１０とバッキングチューブ２０とのクリアランスの両端開口部の下端側を、耐熱Ｏリング５２などの封止手段を用いて封止されている。ターゲット材１０とバッキングチューブ２０は、これらの間に流し込まれる接合材３１の融点以上にバンドヒータ（不図示）などで加熱される。
【００６０】
ターゲット材１０とバッキングチューブ２０とのクリアランスの両端開口部のうち、封止されていない上端側から溶融状態にある接合材３１を流し込む。充填された液体の接合材３１がターゲット材１０とバッキングチューブ２０とのクリアランスの最下部より充填される。
【００６１】
本実施形態では、図３（Ｄ）に示すように、ターゲット材１０の上端面１１よりも高い位置、すなわち、ダミーパイプ４０の所定の高さ位置まで接合材３１を充填する。もし、ダミーパイプ４０を利用しない場合には、接合材３１を充填した後、接合材３１の冷却時に、接合材３１が体積収縮してターゲット材１０の上端面１１付近において、わずかに接合材３１が充填されていない部分（以下、「未充填部」ともいう。）が生じる。そのため、ターゲット材１０とバッキングチューブ２０とのクリアランスに未充填部があることで、接合材３１の接合率が低下する。そこで、本実施形態では、ダミーパイプ４０とバッキングチューブ２０とのクリアランスにダミーパイプ４０の所定の高さ位置まで接合材３１を充填することにより、接合材３１の接合率を向上させることができる。本実施形態で作製される円筒形スパッタリングターゲット１は、上記接合率が高いため、ターゲット材１０とバッキングチューブ２０との接合強度が高くなり、接合層３０による熱伝導率が良好となる。その結果、この円筒形スパッタリングターゲット１では、バッキングチューブ２０内部の通水による冷却効果が高く、マグネトロンスパッタリング法のような高パワーを投入することができる。
【００６２】
上記所定の高さとしては、この接合層３０の上端面の位置がターゲット材１０の上端面１１と同じ高さに調整するため、ダミーパイプ４０の下端からターゲット材の高さの４％以上の位置まで接合材３１を充填することが好ましい。この下限値は、インジウムの液体から固体への体積収縮率に基づき、接合材３１を充填するダミーパイプ４０の高さ位置を算出したものである。このように、ダミーパイプ４０の当該下限値の高さまで溶融したインジウムからなる接合材３１をターゲット材１０とバッキングチューブ２０とのクリアランスだけでなく、ダミーパイプ４０とバッキングチューブ２０とのクリアランスまで充填することにより、接合材３１を冷却した際、接合層３０の上端面の位置がターゲット材１０の上端面１１と同じ高さとなるため、接合率の高い円筒形スパッタリングターゲット１が得られる。上記ダミーパイプ４０の長さは、上記下限値よりも長く設定する。例えば、上記下限値より＋１０ｍｍとしてもよい。なお、後述する接合工程Ｓ４では、接合材が冷却により固化した接合層３０のうち余分な接合層が存在する場合には、この接合層３０の上端面の位置がターゲット材１０の上端面１１と同じ高さに調整するため、余分な接合層を除去する。
【００６３】
ターゲット材１０およびバッキングチューブ２０は、予め、その表面温度が接合材３１の融点以上、好ましくは融点より１０℃〜３０℃高い温度となるように加熱しておくことが必要である。ターゲット材１０およびバッキングチューブ２０の表面温度が接合材３１の融点以下では、接合材３１がターゲット材１０またはバッキングチューブ２０に接触すると同時に硬化し、十分な量の接合材３１を流し込むことが困難となる。
【００６４】
接合層３０には、上述のバッキングチューブ２０と同様にして、熱伝導性、電気伝導性、接着強度等の特性を持たせるためには、接合層３０の形成に用いる接合材３１を選定する必要がある。例えば、インジウムを主成分とする接合材３１は、スズを主成分とする接合材に比べて凝固時の硬度が低い。そのため、インジウムを主成分とする接合材３１を用いて接合層３０を形成する場合には、溶融した接合材３１を注入してから固化するまでの過程において、ターゲット材１０の割れ等の不具合を効果的に防止することができる。
【００６５】
また、インジウムを主成分とする接合材３１を用いて接合層３０を形成する場合には、インジウムを５０質量％以上、好ましくは７０質量％〜１００質量％、より好ましくは８０質量％〜１００質量％含有するものを使用する必要がある。特に、インジウムを８０質量％以上、好ましくは９０質量％〜１００質量％含有する低融点接合材を接合材３１として用いることが好ましい。このような低融点接合材であれば、原子又は分子間の結合が弱いため軟らかく、冷却固化後の硬度が適切な範囲にあるため、作業性に優れている。また、低融点接合材は、作業性に優れるだけでなく、溶融時の流動性が高いため、巣（鬆）やひけが極めて少ない、均一な接合層３０を容易に形成することができる。
【００６６】
例えば、インジウムの含有量が１００質量％であるインジウム金属を接合材３１として用いた場合には、インジウム金属の熱伝導率が８１．６Ｗ／ｍ・Ｋと熱伝導性に優れることから好ましい。また、インジウム金属は、液化して固化することによりターゲット材１０とバッキングチューブ２０とを接合させる際に、これらの密着性を高く接合できることから好ましい。
【００６７】
一方、インジウムの含有量が５０質量％未満では、バッキングチューブ２０側との濡れ性が低いため、そのような接合材３１を加熱して溶融した接合材３１をターゲット材１０の内周面とバッキングチューブ２０の外周面との間の空隙部に、高い充填性をもって隙間なく注入することができない。
【００６８】
また、接合材３１としては、上述したインジウム系低融点接合材の他に、インジウム粉末を含有する樹脂ペースト、導電性樹脂等を用いることができるが、導電性や展延性の観点から、インジウム系低融点接合材が好ましく、融点が１３０℃〜１６０℃のインジウム系低融点接合材がより好ましい。なお、インジウム以外の成分については、特に制限されることはなく、例えば、スズ、アンチモン（Ｓｂ）、亜鉛等を必要に応じて含有させることができる。インジウム以外の成分の含有量は、５０質量％未満であり、３０質量％未満が好ましく、２０質量％未満がより好ましい。
【００６９】
次に、接合工程Ｓ４では、図３（Ｅ）に示すように、ターゲット材１０およびダミーパイプ４０とバッキングチューブ２０とのクリアランスに充填した接合材３１を冷却し、ターゲット材１０とバッキングチューブ２０とを接合する工程である。
【００７０】
ターゲット材１０およびバッキングチューブ２０の表面にバンドヒータで熱をかけるのを停止し、室温（２０℃）まで放冷することにより、充填した接合材３１が固化することで接合層３０を形成する。なお、冷却手段や冷却スピードは、適宜調整することができる。
【００７１】
次いで、図３（Ｆ）に示すように、ターゲット材１０とバッキングチューブ２０とのクリアランスに充填された接合材３１が完全に固化して、接合層３０が形成されたことを目視で確認した後、配置工程Ｓ１で使用したダミーパイプ４０、架台５０、耐熱Ｏリング５２、固定具６０等をそれぞれ取り除く。このように、円筒形スパッタリングターゲット１を作製する。
【００７２】
以上で説明した通り、本実施形態に係る円筒形スパッタリングターゲットの製造方法は、ターゲット材の上端面に円筒状のダミーパイプを連結し、ターゲット材の中空部にバッキングチューブを同軸に設置して、ダミーパイプとバッキングチューブとのクリアランスに複数の固定具を円周方向に等間隔に取り付ける配置工程Ｓ１と、ターゲット材とバッキングチューブとのクリアランスに接合材を充填する充填工程Ｓ３と、接合材を冷却し、ターゲット材とバッキングチューブとを接合する接合工程Ｓ４とを有する。本実施形態では、充填工程Ｓ３および接合工程Ｓ４において、ターゲット材とバッキングチューブとのクリアランスの幅を均等に維持しつつ、ターゲット材とバッキングチューブとのクリアランスに充填する接合材の接合率を向上させることができる。そして、このような製造方法は、簡素かつ低コストで、接合率の高い円筒形スパッタリングターゲットを作製することができる。
【００７３】
また、本実施形態では、スパッタリング時の熱負荷によって、ターゲット材に割れや剥離等の不具合が生じることのない円筒形スパッタリングターゲットを得ることができる。
【００７４】
さらに、本実施形態では、工業規模の生産において、このような円筒形スパッタリングターゲットを容易に得ることができるので、その工業的意義は極めて大きい。
【実施例】
【００７５】
以下、実施例及び比較例を用いて、本発明を更に詳細に説明するが、本発明はこれらの実施例及び比較例に限定されるものではない。なお、実施例１〜２では、上述した本発明の一実施形態に係る円筒形スパッタリングターゲットの製造方法の概略を示すフロー図（図２参照）を使用して以下説明する。
【００７６】
（実施例１）
実施例１では、外径１００ｍｍ、内径８１ｍｍ、全長２００ｍｍのＩＴＯ製の円筒形セラミックス焼結体を５つ用意した。次に、全ての円筒形セラミックス焼結体について、接合面となる内周面以外の部分に余分な接合材が付着することを防止するため、耐熱性のマスキングテープでマスキングを行った。その後、全ての円筒形セラミックス焼結体について、接合面となる内周面をインジウムで濡らすと共に、全長が１０００ｍｍとなるように、５個の円筒形セラミックス焼結体を一定間隔で配列し、外周面を耐熱テープで固定することにより、ターゲット材を得た。
【００７７】
次に、実施例１では、外径８０ｍｍ、内径７０ｍｍ、全長１１００ｍｍのＳＵＳ３０４製の旋盤加工で得られた円筒形バッキングチューブを用意した。この円筒形バッキングチューブのうち、接合面以外の部分については、余分な接合材が付着することを防止するため、耐熱テープでマスキングを行った。その後、投射材としてガラスビーズ♯８０を使用し、円筒形バッキングチューブについて、ブラスト加工を行った。
【００７８】
その後、超音波ハンダ付け装置（会社名：黒田テクノ株式会社、製品名：サンボンダ（登録商標）ＵＳＭ−５２８）を使用し、インジウム系低融点半田を用いた公知の濡らし作業を行った。
【００７９】
次に、配置工程Ｓ１では、ターゲット材と内径および外径が同じで長さが５０ｍｍのダミーパイプ（ＳＵＳ製）を用意した。５個のターゲット材とダミーパイプとをダミーパイプが最上端になるように並べターゲット材の内径と、外径がほぼ同等の基準パイプをターゲット材の中空部に設置した。次に、ターゲット材とダミーパイプの外周面のつなぎ目を耐熱テープで巻き同一の位置に連結した。その後、基準パイプをターゲット材より取り外し、ダミーパイプと連結したターゲット材を得た。
【００８０】
次に、バッキングチューブを、Ｘ−Ｙステージによる位置決め可能な架台に一方の端を固定して設置した。このバッキングチューブには、軸方向の端部に耐熱Ｏリングを配置した。その後、ダミーパイプをターゲット材の上端面に連結した。このターゲット材の中空部にバッキングチューブを配置するとともに、Ｏリングによりクリアランスの下方側を封止するように、ターゲット材とバッキングチューブを直立させて配置した。なお、ダミーパイプはターゲット材の上方になるように配置した。
【００８１】
また、ターゲット材の下方側はＸ−Ｙステージによる位置決めし、ダミーパイプ側は、ダミーパイプとバッキングチューブのクリアランスに長さ１０ｍｍの固定具を４ヶ所、円周方向に等間隔に配置してターゲット材の中空部にバッキングチューブを同軸になるように位置決めを行った。なお、ターゲット材とバッキングチューブのクリアランスは、０．５ｍｍであった。
【００８２】
続いて、充填工程Ｓ３では、ターゲット材の外周面にバンドヒータを取り付け、設定温度を１８０℃として加熱した。また、インジウム系低融点半田を用意し、これをバンドヒータにより１９０℃まで加熱して溶融した。
【００８３】
バンドヒータが設定温度に達したことを確認した後、上方のクリアランスの開口側から溶融した接合材を注入し、下端側から徐々に接合材が充填された。所定量（１０１７ｇ）の接合材を注入された際に、ダミーパイプの所定の高さまで接合材が充填されたことを確認した。その後、接合工程Ｓ４では、バンドヒータのスイッチを切り、室温（２０℃）まで放冷した。接合材が完全に固化して接合層が形成されたことを確認した後、ダミーパイプ、固定具、マスキングテープ、および耐熱Ｏリングを取り除き、円筒形スパッタリングターゲットを得た。
【００８４】
実施例１では、得られた円筒形スパッタリングターゲットに対して、超音波探傷装置（会社名：株式会社ＫＪＴＤ、製品名：ＳＤＳ−ＷＩＮ）を用いて、接合材の充填量を測定し、この測定値より、ターゲット材と円筒形バッキングチューブとの接合率を評価した。具体的には、これらの接合率が９５．０％以上のものを「優（◎）」、９０．０％以上９５．０％未満のものを「良（○）」、９０．０％未満のもの、又は、ターゲット材が円筒形バッキングチューブから脱落し、接合率を評価できなかったものを「不良（×）」として評価した。
【００８５】
実施例１では、得られた円筒形スパッタリングターゲットの接合率を、上記方法により評価した結果、何れも優れたものであることが確認された。また、円筒形スパッタリングターゲットをマグネトロン型回転カソードスパッタリング装置に取り付け、０．６Ｐａのアルゴン雰囲気中、出力３００Ｗで放電試験を実施したところ、スパッタリング中に、ターゲット材に割れや欠け等が生じることはなかった。
【００８６】
実施例１では、接合率と放電試験の結果を表１にそれぞれ示した。なお、表１中の「接合率」は、クリアランス体積に対する、接合材を加熱して接合材がクリアランスに注入されて接合層が形成された場合の接合層の体積（溶融した接合材の充填量）をいう。また、表１中の「放電試験」には、放電試験後の円筒形スパッタリングターゲットの割れ、欠け、剥離等の不具合が生じたか否かの結果を、「有り」又は「無し」で示した。
【００８７】
（実施例２）
実施例２では、実施例１と同様にターゲット材とバッキングチューブとを用意した。次いで、配置工程Ｓ１では、バッキングチューブを、Ｘ−Ｙステージによる位置決め可能な架台に一方の端を固定して設置した。このバッキングチューブには、軸方向の端部に耐熱Ｏリングを配置した。
【００８８】
耐熱Ｏリングでターゲット材とバッキングチューブとのクリアランスの下端側を封止して、ターゲット材を積み重ね、ターゲット材の上端面にはダミーパイプを配置した。ターゲット材及びダミーパイプとバッキングチューブのクリアランスにターゲット材とダミーパイプとの長さを超えるスペーサーを３ヶ所配置し、同軸になるように位置合わせを行い、その後、ターゲット材とダミーパイプとの外周面のつなぎ目を耐熱テープで巻き同一の位置に固定した。固定後、スペーサーを取り除いた。
【００８９】
次に、ターゲット材の下方側はＸ−Ｙステージによる位置決めをし、ダミーパイプ側は、ダミーパイプとバッキングチューブのクリアランスに長さ１０ｍｍの固定具を３ヶ所円周方向に等間隔に配置してターゲット材の中空部にバッキングチューブを同軸になるように位置決めを行った。
【００９０】
また、押さえ工程Ｓ２では、接合材充填時のクリアランスのずれを防止するため、ダミーパイプの上端面を押さえ機構により押さえた。その他条件は、実施例１と同様とした。
【００９１】
（比較例１）
比較例１では、ダミーパイプを使用せず、ターゲット材とバッキングチューブとのクリアランスに固定具を取り付け、接合材をクリアランスに充填して冷却した後も固定具を取り外さなかったこと以外は実施例１と同様にして、円筒形スパッタリングターゲットを作製した。また、この円筒形スパッタリングターゲットの接合率と放電試験の結果を表１にそれぞれ示した。
【００９２】
【表１】
2019019375.tif 000003
【００９３】
（実施例による考察）
表１に示す結果から、実施例１および実施例２では、ダミーパイプとバッキングチューブのクリアランスに固定具を取り付けることで、ターゲット材とバッキングチューブとのクリアランス内を接合材のみで充填した円筒形スパッタリングターゲットが得られた。これにより、接合率が非常に高いものとなり、この円筒形スパッタリングターゲットを使用したスパッタリングでの放電試験でも良好な結果が得られた。
【００９４】
一方、比較例１では、ダミーパイプを使用せず、ターゲット材とバッキングチューブとのクリアランスに固定具を取り付け、接合材をクリアランスに充填して冷却した後も固定具を取り外さなかった。そのため、上記クリアランス内に固定具があり、その近辺に空隙が発生し高い接合率が得られない部分が生じた。このため、比較例１では、放電試験中に、ターゲット材に割れ、欠けが入ったので、放電試験を行うことができなかった。
【符号の説明】
【００９５】
１  円筒形スパッタリングターゲット、１０  ターゲット材、１１  上端面、２０  バッキングチューブ、２１  上端面、３０  接合層、３１  接合材、４０  ダミーパイプ、４１  上端面、５０  架台、５１  凹部、５２  耐熱Ｏリング、５３  支柱、６０  固定具、７０  第１の押さえ機構、７１  第１のアーム部、７２  第１の押さえ部、８０  第２の押さえ機構、８１  第２のアーム部、８２  第２の押さえ部、Ｓ１  配置工程、Ｓ２  押さえ工程、Ｓ３  充填工程、Ｓ４  接合工程
【図１】
2019019375.tif 000004
【図２】
2019019375.tif 000005
【図３】
2019019375.tif 000006
【図４】
2019019375.tif 000007
【図５】
2019019375.tif 000008